(57)【要約】外面（３０）から中央の中空コア（４０）へ向かって延在する、複数の半径方向に延在する孔（２０）を有する中空管状発泡体ばね（１０）。管状発泡体ばね（１０）は、加圧荷重下において中央の膨張が達成されるような壁の厚さおよび径対高さの比で配置される。ある実施形態において、例えば、マットレス、座席、クッションまたは枕内のばね（１０）は、配列に配置され、それによって、いくつかのばねが中央の膨張に起因して相互に衝突する。
2021509074.tif 000002
【特許請求の範囲】
【請求項１】
中空管状ばねであって、
接着剤を用いて対向する端で取り付けられて中空管形状を形成する、穴開けされた発泡体ストリップと、
前記ばねの外面から内部のコアに向かって延在する複数の孔と、
前記複数の孔を相互から分離する壁と、
前記ばねの鉛直の中位領域での、または前記中位領域の辺りでの、前記ばねの横方向の座屈を可能とするように選択される幅を有する第１の壁と
を備える、中空管状ばね。
【請求項２】
請求項１に記載の中空管状ばねを複数含むマットレス、座席、クッション、または枕であって、前記中空管状ばねは、前記マットレス、座席、クッション、または枕のコア領域中の配列内に配置される、マットレス、座席、クッション、または枕。
【請求項３】
前記配列にわたる下向きの加圧下にあるときに、前記配列内に配置された前記複数の管状ばねのうちの少なくとも２つが、半径方向外向きに膨張し、かつ相互に衝突する、請求項２に記載のマットレス。
【請求項４】
膨張するときの前記隣接する管状ばねの相互の前記衝突は、各々のばねのための追加の加圧抵抗を提供する、請求項３に記載のマットレス。
【請求項５】
膨張するときの前記隣接する管状ばねの相互の前記衝突は、前記ばねを相互への関係における定位置に維持する、請求項３に記載のマットレス。
【請求項６】
複数の中空管状ばねの配列であって、前記中空管状ばねは、請求項１に記載された中空管状ばねである、配列。
【請求項７】
前記配列にわたる加圧力の適用のときに、前記配列内に配置された前記複数の管状ばねのうちの少なくとも２つが、半径方向外向きに膨張し、かつ相互に衝突する、請求項６に記載の配列。
【請求項８】
膨張するときの前記隣接する管状ばねの相互の前記衝突は、各々のばねのための追加の加圧抵抗を提供する、請求項７に記載の配列。
【請求項９】
膨張するときの隣接する管状ばねの相互の前記衝突は、前記ばねを相互に関して定位置に維持する、請求項７に記載の配列。
【発明の詳細な説明】
【技術分野】
【０００１】
本出願は、２０１７年１１月２２日に出願され、「Ｈｏｌｌｏｗ  Ｔｕｂｕｌａｒ  Ｃｅｎｔｅｒ  Ｂｕｌｇｉｎｇ  Ｆｏａｍ  Ｓｐｒｉｎｇ」と題された米国特許出願第６２／５９００８４号の優先権を有し、その全体が本明細書において参照されかつ援用される。
【０００２】
発明の分野
本発明は、例えば、クッション、枕、マットレスおよび座席において用いられる、略円筒状発泡体ベースのばねに関する。
【背景技術】
【０００３】
発明の背景
例えば、クッション、枕、座席、マットレスおよび同様のものにおける使用のための、各種の中空コア発泡体ベースのばねが公知である。外面から内向きに延在する複数のスリットまたは孔のある、略管形状を有する発泡体ばねも公知である。
【０００４】
そのような中空コア円筒状発泡体ベースのばねの一例が、Ｐｏｐｅの米国特許第４１９４２５５号およびＰｏｐｐｅの米国特許出願公開第ＵＳ２００９／００７９１１９Ａ１号に見出だされる。その例では、内向きに延在する略横方向に均一な孔が図示され、その孔は横方向に延在するダイヤモンド形状を形成する。そのような構築の１つの欠点は、鉛直方向の（すなわち軸方向の）加圧が適用された時に発生する膨張が、典型的に、横方向の（横向きの）転位または崩壊を引き起こすことである。そのような横方向または横向きの膨張の欠点は、ばねが、スプリングベッド中（例えば、クッション、枕、マットレス、座席または同様のものの中）に位置付けられるときに離間される必要があることか、または、より近接して詰められる場合には、加圧荷重下で相互に衝突し得ることのいずれかである。このばね構築の別の欠点は、もたれたときに上辺および底辺が半径方向に膨れ出る傾向、および、円筒状ばねを形成するために、切り込みのある発泡体ストリップの対向する端を接着することの製造時の相対的困難性である。
【０００５】
中空コア円筒状発泡体ベースのばねの別の例は、Ｐｏｐｐｅの米国特許第８３５３５０１Ｂ２号に見出される。その例では、半分ダイヤモンドおよび完全に横方向に延在されたダイヤモンド形状の孔のパターンが図示され、孔はスペーサ柱によって分離されている。そのような発泡体ベースのばねは、上で議論された例で図示されたものに比較してより大きい加圧抵抗（すなわち、より高いばね定数）を示すことが理解される。しかし、それらはまた、スペーサ柱において用いられるような追加の発泡体材料を要求することも理解される。これらの発泡体ばねのさらなる欠点は、軸荷重の適用時の横方向（横向き）の転位または崩壊である。別の欠点は、比較的低い高さ対径の比であり、またスプリングベッドにおける詰め込み密度も制限することである。
【０００６】
よって、軸荷重の適用時の横向きの崩壊を低減させながら、軸方向の荷重に対する中央の膨張を促進する伸長された孔パターン、および、接着された継ぎ目の完全性を維持することにおける製作の容易さを有する中空コアの略円筒状発泡体ベースのばねに対するニーズが存在する。
【先行技術文献】
【特許文献】
【０００７】
【特許文献１】米国特許第４１９４２５５号明細書
【特許文献２】米国特許出願公開第２００９／００７９１１９号明細書
【特許文献３】米国特許第８３５３５０１号明細書
【発明の概要】
【課題を解決するための手段】
【０００８】
発明の要約
本発明は、例えば、クッション、枕、マットレス、座席および同様のものにおいて用いられる発泡体ばねに関し、その発泡体ばねは、外面からばねの内部の中空コアに向かって延在する孔を有する。ばねは、中央の膨張を促進しながら所望の径対高さの比を達成しており、いくつかの実施形態では、公知のばねに比べて低減された内部の壁の厚さを利用し、ばねの中位における膨張変位の集中に起因する、増加した加圧荷重抵抗（すなわち、より高いばね定数）の驚異的な結果を生み出す。そのような膨張プロファイルの優位点は、ばねが軸方向の堅実な（すなわち、鉛直向きのばねのための直立状態の）ポジショニングを維持する傾向にあり、個々のばねの膨張は隣接するばねの方へ配向されることである。いくつかの実施形態では、配列に詰められるとき、内側のばねの膨張が隣接するばねの膨張に衝突し、滑り抵抗および向上された軸方向の加圧抵抗を与える。同様にして、ばねは、構造的堅実性を維持しながら比較的高い高さ対径の比を有することを達成し得る。
【０００９】
本発明のさらなる実施形態では、中央膨張発泡体材料ばねが提供される。加圧力（すなわち軸方向）の適用時に、本発明によるばねは、その中央部分において（すなわち、その鉛直方向または軸方向の中位の辺りの領域において）半径方向外向きへ膨張する。本発明による他のばねと共に配列内に詰められるとき、隣接するばねが外向きに膨張しかつ随意に相互に衝突して、軸方向の加圧への高められた抵抗を提供する。ばねがマットレスにおける配列内に位置付けられる実施形態では、例えば、ばねは高められた支持を提供する。本発明のさらなる優位点は、増加した加圧抵抗が、より嵩高のばねと同様の加圧抵抗を依然として提供しながら、より薄い壁とばねを生産するための低減された材料使用とを可能とすることである。
【００１０】
これらおよび本発明の他の実施形態が、後続する説明および図において説明される。この要約および後続する詳細な説明は、単に例示的、図示的かつ説明的に過ぎず、かつ限定することを意図されないが、請求されるような本発明のさらなる説明を提供することが意図される。例示的な実施形態の他のシステム、方法、特徴および優位点は、後続する図および詳細な説明の吟味によって、当業者に明らかでありまたは明らかになるだろう。
【図面の簡単な説明】
【００１１】
図面の簡単な説明
構造および動作の両方に関する、本明細書で記載される主題の詳細は、付随する図の検討によって明らかであり得、図では、同様の参照番号は同様の部分へ参照する。図における構成要素は必ずしも寸法通りでなく、その代わりに主題の原理を図示することに重点が置かれる。そのうえ、全ての図示は、概念を伝えることが意図され、相対的なサイズ、形状、および他の詳細な属性が、実際通りにまたは精密にというよりもむしろ概略的に図示され得る。付随する図面（単数または複数）において図示されるものは、本発明のベストモードの実施形態のうちの少なくとも１つである。
【００１２】
【図１】図１は、本発明による中空管状発泡体ばねの斜視図である。
【００１３】
【図２】図２は、本発明による中空管状発泡体ばねの側面図である。
【００１４】
【図３】図３は、加圧されかつ横向きの滑りを示す、先行技術のばねの配列の側面図である。
【００１５】
【図４】図４は、加圧されかつ横向きの滑りを示す、先行技術のばねの配列を有するテスト装置の側面図である。
【００１６】
【図５】図５は、軸方向（鉛直方向）の荷重下で、かつ本発明による中央の膨張を示す、本発明による中空管状ばねの側面図である。
【００１７】
【図６】図６は、加圧され、かつ本発明による中央の膨張を示す、本発明による中空管状ばねの配列の側面図である。
【００１８】
【図７】図７は、加圧され、かつ本発明による中央の膨張を示す、本発明による中空管状ばねの配列を有するテスト装置の側面図である。
【００１９】
【図８】図８は、本発明によるマットレスの斜視図である。
【００２０】
【図９】図９は、本発明によるマットレスの水平断面図である。
【００２１】
【図１０】図１０は、本発明によるマットレスの垂直断面図である。
【００２２】
【図１１】図１１は、本発明によるマットレスの側面斜視的鉛直分解図である。
【００２３】
【図１２】図１２は、本発明によるマットレスの垂直断面図である。
【００２４】
【図１３】図１３は、本発明による枕の、破断面を有する側面斜視図である。
【発明を実施するための形態】
【００２５】
詳細な説明
本主題が詳細に説明される前に、本開示は、説明される特定の実施形態へ限定されず、変更され得ることが理解されるべきである。本開示の範囲は添付された請求項によってのみ限定されるため、本明細書で用いられる用語は、特定の実施形態のみを説明するためのものであり、限定することを意図されたものではないことも理解されたい。本発明は異なる形態の異なる実施形態を許容する一方で、本開示は、本発明の原理の具体例とみなされるべきであり、かつ、本発明の広範な側面を図示される実施形態へ限定することを意図されたものでないことを理解すると共に、本発明の好ましい実施形態が、図面において示されかつここで詳細に説明される。本明細書で提供される任意の実施形態について説明される全ての特徴、要素、構成要素、機能、およびステップは、別様に述べられない限り、任意の他の実施形態からのものと自由に組み合わせ可能でありかつ代用可能であることが意図される。従って、図示されるものは、例としての目的のためにのみ記載され、本発明の範囲についての限定として捉えられるべきではない。
【００２６】
後続する説明および図面では、同様の要素は、同様の参照番号で特定される。「例えば（ｅ．ｇ．）」、「など（ｅｔｃ．）」、「または（ｏｒ）」および「同様のもの（ｔｈｅ  ｌｉｋｅ）」の使用は、別様に記されない限り、限定しない非排他的な代替物を示す。「有する（ｈａｖｉｎｇ）」、「備える（ｃｏｍｐｒｉｓｉｎｇ）」、「含む（ｉｎｃｌｕｄｉｎｇ）」、または「含む（ｉｎｃｌｕｄｅｓ）」の使用は、別様に記されない限り、「含むが、限定されない（ｉｎｃｌｕｄｉｎｇ，ｂｕｔ  ｎｏｔ  ｌｉｍｉｔｅｄ  ｔｏ）」、または「含むが、限定されない（ｉｎｃｌｕｄｅｓ，ｂｕｔ  ｎｏｔ  ｌｉｍｉｔｅｄ  ｔｏ）」を意味する。
【００２７】
本明細書で用いられる場合、第１のエンティティと第２のエンティティとの間に置かれる語「および／または（ａｎｄ／ｏｒ）」は、（１）第１のエンティティ、（２）第２のエンティティ、ならびに、（３）第１のエンティティおよび第２のエンティティ、のうちの１つを意味する。「および／または（ａｎｄ／ｏｒ）」で列挙される複数のエンティティは、同一の態様で、すなわちそのように結合されたエンティティのうちの「１または複数（ｏｎｅ  ｏｒ  ｍｏｒｅ）」と解釈されるべきである。「および／または（ａｎｄ／ｏｒ）」の節で具体的に特定されるエンティティに関連するかまたは関連しないかのいずれにせよ、具体的に特定されるそれらエンティティとは別のエンティティが随意に存在し得る。従って、非限定的な例として、「備える（ｃｏｍｐｒｉｓｉｎｇ）」等の範囲を設定しない述語を伴って用いられるときには、「ＡおよびＢ（Ａ  ａｎｄ／ｏｒ  Ｂ）」への言及は、１つの実施形態では、Ａのみ（Ｂとは別のエンティティを随意に含む）へ言及し得、別の実施形態においては、Ｂのみ（Ａとは別のエンティティを随意に含む）へ言及し得、さらに別の実施形態においては、ＡおよびＢの両方（他のエンティティを随意に含む）へ言及し得る。これらのエンティティは、要素、作用、構造、ステップ、動作、値および同様のものへ言及し得る。
【００２８】
図へ移ると、図１および図２は、本発明の発泡体ばね１０の例を図示する。発泡体ばね１０は、略中空管形状のボディを有し、ボディはその中に形成された複数の孔２０を有する。孔は、ばね１０の外面３０からばね１０の中央へ向かって半径方向内向きに延在する。中空中央コア４０が提供されるが、いくつかの実施形態では、コア４０は提供されない場合があることが理解される。孔３０は、任意の技術で形成され得る。適切な技術の例は、中実な円筒からの材料除去、および、発泡体ストリップに軸方向の切り込みを形成し、それからストリップを曲げてそのそれぞれの端を接続して中空円筒形状を形成することである。弛緩状態でのばね１０の径が参照番号５０で図示され、かつ弛緩状態でのばね１０の高さが参照番号６０で図示される。穴開けされた円筒状発泡体ばね１０は、４：３（径：高さ）を十分に下回る径対高さの比で、所望の中央膨張性質を維持していたことが見いだされ、これはテストされた先行技術のばねでは達成されなかった。しかし、ばねの任意の高さ対幅の比が選択され得、その比において、加圧力の適用時に、ばねがその鉛直の中央領域において膨張し、横方向の滑りを避けることが理解されるはずである。
【００２９】
ばねを製作するために、発泡体ストリップが提供され、スルースリットがその中に切り込まれる。発泡体ストリップの対向する端が取り付けられ、切り込まれたスリットが外部で開くようにし、ばね１０の外面からコア４０へ向かって内向きに延在する孔２０を形成する。スリットの長さは、加圧時のばね１０の所望の中央の膨張が達成されるように選択される。
【００３０】
（滑りではなく）所望の中央の膨張が達成されるかどうかを決定するために、本発明の種々のばねおよび先行技術の公知のばねがテストされた。図３および図４に図示されるような先行技術のばねを用いた一例では、内側のばねの力に起因するバルブ効果は比較的小さく、そのためばねが横方向に滑る傾向があるか、または径対高さの比が４：３よりも大きい場合には、片側へ潰れることが見出された。図３で図示されるように、テストされた先行技術のばね１００は、第１の半径方向Ｘに外に曲げられ、対向する表面上では同様に外向きには曲がらないことが図示される。図４では実験での配置が示されており、この配置では、ばね１００が加圧され、かつ図３において図示された滑りが観察された。
【００３１】
所望の中位の膨張を示す本発明の例が、図５−図７で図示されている。図５では、本発明によるばね１０は、軸方向の加圧下で示されている。加圧力２００は、ばねの頂部７０へ下向きに適用される。地面のばね１０の底部８０における方向２１０の抗力もまた図示されている。この例では、ばねは、参照表示ＸおよびＸ’で図示されるように、両方向の側面へ膨張する。図示において、方向Ｘは左へ、かつ方向Ｘ’は右へ示されているが、膨張はばねの中心においてまたはその辺りでばねの全周にあり得ることが理解されるはずである。ばね１０の配列は、発泡体ばね１０のそれぞれの頂面７０に隣接するシート層３０２および発泡体ばね１０のそれぞれの底面８０に隣接するシート層３０３を随意に有する、クッション、座席、枕、または、マットレス３００の内部に位置付けられるように図６および図７において図示されており、加圧力は、例えば、例として、随意の発泡体層３０２を介して（例えば軸方向において）第１の力２００を適用することによって、かつ随意の層３０３を介して対向する第２の力２１０を適用することによって、マットレス３００内に位置付けられるばね１０上で（参照番号２００および２１０ならびに対応する矢印で図示された）軸方向に適用される。各々のばねについて、中央線２２０でのまたはその近くでの膨張が、ＸおよびＸ’ならびに対応する矢印で図示されるＸ方向において達成されることが見られる。隣接するばねについては、Ｘ方向の膨張の抗力が、Ｘ’方向の膨張と衝突するように示され、隣接するばねは、相互に構造的支持を提供している。
【００３２】
本発明によるマットレス３００の例が図８に図示されている。マットレス３００では、本発明による発泡体ばね１００は、マットレスの内部において、図４および図６で図示されるような配列で位置付けられ得る。そのような配列の水平断面図が図９に図示されている。図９において図示されているように、発泡体ばね１００は、任意の所望の配置でマットレス３００の内部空間３０５内に位置付けられる。同様にして、ばね１００の複数の層が、内部空間３０５内に提供され得る。縁構造３１０または随意の内部スペーサ３２０が随意に提供され、ばね１００のためのさらなる整列を提供する。任意の数または配置の追加の支持体またはスペーサ３１０、３２０は、マットレス３００が所望の構造的特性を達成し得るように提供され得る。
【００３３】
マットレス３００の代替となる実施形態では、伸長された発泡体ばね１００が、マットレス内で、横方向にまたは長手方向に延在して位置付けられ、ばね１００の頂面は、図２、図６および図９に図示されるような鉛直方向ではなく、マット内で横方向に向けられる。横方向に（横に）延在するばねを有するマットレスの本発明による例が、図１０および図１１に図示されている。この実施形態では、ばね１００は、マットレスの側面上に伸長されかつ位置付けられる。ばねは、装着構造３２０、３３０上でマットレス内に装着されるが、マットレス内の所望の位置にばね１００を保持する任意の構造が用いられ得る。図示される実施形態では、構造３２０および３３０は、メモリフォームまたはポリウレタン発泡体を含み、かつばね１００を受け取りかつ保持するための形状である、長手方向に延在する受け取りスロット３２５、３３５を含む。随意の追加的な頂部層および底部層３１０、３１５および３４０もまた提供される。層３１０および３１５は、この例においては保持構造３２０の上に位置付けられ、かつ層３４０は保持構造３３０の下にある。しかし、層の任意の配置が提供され得ることが理解されるはずである。
【００３４】
例えば、伸長されたばねをマットレス３００内で長手方向に配置すること、または、図１２に図示されるように、伸長されたばねをマットレス内で長手方向および横方向の両方に配置すること等の、本発明の伸長されたばね１００の任意の配置が用いられ得ることが認識されるはずである。明確さのために、図１２において伸長されたばね１００は、参照番号１００および１０５で図示されている。図１２において図示されるようなこの実施形態では、伸長されたばね１０５は、マットレス、座席またはクッション４００内で長手方向に位置付けられ、横方向に位置付けられた伸長されたばねは、参照番号１００で図示されている。
【００３５】
本発明の枕５００の実施形態が図１３に図示されている。この実施形態では、本発明のばね１００は、枕５００の内部の中に位置付けられる。枕５００の所望の硬さおよび他の特性を提供するばね１００の任意の配置が用いられ得る。一例において、ばね１００は枕５００内で横方向に位置付けられ、加圧力２００および２１０は、ばね１００の長辺に作用する。代替となる実施形態では、加圧力２００および２１０が軸方向でばねに作用する図７で図示された配置等で、ばねが枕内で鉛直に位置付けられる。
【００３６】
実施形態は、種々の変形形態および代替形態を許容する一方で、その特定の例が、図面において示され、かつ本明細書において詳細に説明された。しかし、これらの実施形態は、開示された特定の形態へ限定されず、反対に、これらの実施形態は、本開示の意図に属する全ての変形物、均等物および代替物をカバーすることを理解されたい。さらに、実施形態の任意の特徴、機能、ステップまたは要素は、請求項に記載又は追加され得、同様にして、否定的な限定が、請求項の範囲外の特徴、機能、ステップまたは要素によって請求項の発明の範囲を定義する。
【図１】
2021509074.tif 000003
【図２】
2021509074.tif 000004
【図３】
2021509074.tif 000005
【図４】
2021509074.tif 000006
【図５】
2021509074.tif 000007
【図６】
2021509074.tif 000008
【図７】
2021509074.tif 000009
【図８】
2021509074.tif 000010
【図９】
2021509074.tif 000011
【図１０】
2021509074.tif 000012
【図１１】
2021509074.tif 000013
【図１２】
2021509074.tif 000014
【図１３】
2021509074.tif 000015
【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
中空管状ばね１０、１００であって、
接着剤を用いて対向する端で取り付けられて中空管形状を形成する、穴開けされた発泡体ストリップと、
前記ばね１０、１００の外面３０から内部のコア４０に向かって延在する複数の孔２０と
を備え、
前記管状ばね１０、１００は、前記ばねの鉛直の中位領域での、または前記中位領域の辺りでの、前記ばねの横方向の座屈を可能とするように選択される直径寸法５０と高さ寸法６０とを有する、中空管状ばね１０、１００。
【請求項２】
請求項１に記載の中空管状ばね１０、１００を複数含むマットレス３００、座席４００、クッション４００、または枕５００であって、前記中空管状ばね１０、１００は、前記マットレス、座席、クッション、または枕のコア領域中の配列内に配置される、マットレス３００、座席４００、クッション４００、または枕５００。
【請求項３】
前記配列にわたる下向きの加圧下にあるときに、前記配列内に配置された前記複数の管状ばね１０、１００のうちの少なくとも２つが、半径方向外向きＸ、Ｘ’に膨張し、かつ相互に衝突する、請求項２に記載のマットレス。
【請求項４】
膨張Ｘ、Ｘ’のときの前記隣接する管状ばね１０、１００の相互の前記衝突は、各々のばねのための追加の加圧抵抗を提供する、請求項３に記載のマットレス。
【請求項５】
膨張Ｘ、Ｘ’のときの前記隣接する管状ばね１０、１００の相互の前記衝突は、前記ばね１０、１００を相互への関係における定位置に維持する、請求項３に記載のマットレス。
【請求項６】
複数の中空管状ばね１０、１００の配列であって、前記中空管状ばね１０、１００は、請求項１に記載の中空管状ばね１０、１００である、配列。
【請求項７】
前記配列にわたる加圧力２００、２１０の適用のときに、前記配列内に配置された前記複数の管状ばね１０、１００のうちの少なくとも２つが、半径方向外向きＸ、Ｘ’に膨張し、かつ相互に衝突する、請求項６に記載の配列。
【請求項８】
膨張するときの前記隣接する管状ばね１０、１００の相互の前記衝突は、各々のばね１０、１００のための追加の加圧抵抗を提供する、請求項７に記載の配列。
【請求項９】
膨張するときの隣接する管状ばね１０、１００の相互の前記衝突は、前記ばねを相互に関して定位置に維持する、請求項７に記載の配列。
【請求項１０】
マットレス３００、座席４００、クッション４００、または枕５００であって、
第１の中空管状ばね１０、１００であって、
前記ばね１０、１００の外面３０から内部のコア４０に向かって延在する第１の複数の孔２０と、
前記第１の中空管状ばねの第１の鉛直の中位領域での、または前記第１の鉛直の中位領域の辺りでの、前記第１の中空管状ばねの横方向の座屈を可能とするように選択される第１の幅を有する第１の壁と
を備える、第１の中空管状ばね１０、１００と、
第２の中空管状ばね１０、１００であって、
前記第２の中空管状ばね１０、１００の第２の外面３０から第２の内部のコア４０に向かって延在する第２の複数の孔２０と、
前記第２の複数の孔を相互から分離する第２の壁と、
前記第２の中空管状ばねの第２の鉛直の中位領域での、または前記第２の鉛直の中位領域の辺りでの、前記第２の中空管状ばねの横方向の座屈を可能とするように選択される第２の幅を有する第２の壁と
を備える、第２の中空管状ばね１０、１００と
を備え、
前記第１の中空管状ばねおよび前記第２の中空管状ばねは、前記マットレス、座席、クッション、または枕の構造上で横方向に配置される、マットレス３００、座席４００、クッション４００、または枕５００。
【手続補正２】
【補正対象書類名】明細書
【補正対象項目名】００１０
【補正方法】変更
【補正の内容】
【００１０】
これらおよび本発明の他の実施形態が、後続する説明および図において説明される。この要約および後続する詳細な説明は、単に例示的、図示的かつ説明的に過ぎず、かつ限定することを意図されないが、請求されるような本発明のさらなる説明を提供することが意図される。例示的な実施形態の他のシステム、方法、特徴および優位点は、後続する図および詳細な説明の吟味によって、当業者に明らかでありまたは明らかになるだろう。
本発明は、例えば、以下を提供する。
（項目１）
中空管状ばねであって、
接着剤を用いて対向する端で取り付けられて中空管形状を形成する、穴開けされた発泡体ストリップと、
前記ばねの外面から内部のコアに向かって延在する複数の孔と、
前記複数の孔を相互から分離する壁と、
前記ばねの鉛直の中位領域での、または前記中位領域の辺りでの、前記ばねの横方向の座屈を可能とするように選択される幅を有する第１の壁と
を備える、中空管状ばね。
（項目２）
項目１に記載の中空管状ばねを複数含むマットレス、座席、クッション、または枕であって、前記中空管状ばねは、前記マットレス、座席、クッション、または枕のコア領域中の配列内に配置される、マットレス、座席、クッション、または枕。
（項目３）
前記配列にわたる下向きの加圧下にあるときに、前記配列内に配置された前記複数の管状ばねのうちの少なくとも２つが、半径方向外向きに膨張し、かつ相互に衝突する、項目２に記載のマットレス。
（項目４）
膨張するときの前記隣接する管状ばねの相互の前記衝突は、各々のばねのための追加の加圧抵抗を提供する、項目３に記載のマットレス。
（項目５）
膨張するときの前記隣接する管状ばねの相互の前記衝突は、前記ばねを相互への関係における定位置に維持する、項目３に記載のマットレス。
（項目６）
複数の中空管状ばねの配列であって、前記中空管状ばねは、項目１に記載された中空管状ばねである、配列。
（項目７）
前記配列にわたる加圧力の適用のときに、前記配列内に配置された前記複数の管状ばねのうちの少なくとも２つが、半径方向外向きに膨張し、かつ相互に衝突する、項目６に記載の配列。
（項目８）
膨張するときの前記隣接する管状ばねの相互の前記衝突は、各々のばねのための追加の加圧抵抗を提供する、項目７に記載の配列。
（項目９）
膨張するときの隣接する管状ばねの相互の前記衝突は、前記ばねを相互に関して定位置に維持する、項目７に記載の配列。
【国際調査報告】
2021509074.tif 000016
2021509074.tif 000017